(57)【要約】【課題】  無線伝送手段と有線伝送手段を具備する複数の無線伝送装置からなる無線伝送システムにおいて、有線伝送手段で用いる有線装置識別子を重複なく割り当てることを可能とすること。【解決手段】  無線伝送装置が、無線伝送手段を介して管理装置から無線伝送システム内で用いる各無線伝送装置を識別するための無線装置識別子を取得し、一意に割り当てられた無線装置識別子から有線におけるデータ送受信に用いる有線装置識別子を生成する有線装置識別子生成手段を具備する。有線装置識別子生成手段においては、無線装置識別子を複数のグループに分割し、それぞれを有線装置識別子の一部として、有線装置識別子を生成する。【選択図】  図１
2008153826.tif 000002
【特許請求の範囲】
【請求項１】
無線を用いてデータの送受信を行う無線伝送手段と、
有線を用いてデータの送受信を行う有線伝送手段と、
無線ネットワーク内において装置を識別するために用いる装置識別子から有線ネットワーク内において装置を識別するために用いる装置識別子を生成する有線装置識別子生成手段とを具備することを特徴とする無線伝送装置。
【請求項２】
上記有線装置識別子生成手段は、無線における装置識別子を複数のビット列に分割し、有線における装置識別子の一部として用いることを特徴とする請求項１記載の無線伝送装置。
【請求項３】
上記有線装置識別子生成手段は、無線における装置識別子を複数のビット列に分割し、分割したビット列の１と０を反転させたビット列を有線における装置識別子の一部として用いることを特徴とする請求項１記載の無線伝送装置。
【請求項４】
上記無線伝送手段は、ミリ波を用いることを特徴とする請求項１乃至請求項３記載の無線伝送装置。
【請求項５】
上記有線伝送手段は、ＨＤＭＩを用いることを特徴とする請求項１乃至請求項４記載の無線伝送装置。
【請求項６】
上記有線装置識別子生成手段によって生成される装置識別子は、ＨＤＭＩで用いられる物理アドレスであることを特徴とする請求項５記載の無線伝送装置。
【請求項７】
上記有線装置識別子生成手段は、無線における装置識別子を半分のビット長の２つのビット列に分割し、各ビット列を物理アドレスの４ビットで構成される４つのフィールドのうちの１つもしくは複数のフィールドに含ませることを特徴とする請求項６記載の無線伝送装置。
【請求項８】
上記有線装置識別子生成手段は、無線における装置識別子６ビットを３ビット長の２つのビット列に分割し、各ビット列を物理アドレスの４ビットで構成される４つのフィールドのうちの２つのフィールドの下位３ビットにセットし、２つのフィールドの最上位ビットは１とすることを特徴とする請求項７記載の無線伝送装置。
【請求項９】
有線インタフェース及び無線インタフェースを具備する無線伝送装置の装置識別子割当方法において、
無線ネットワークにおいて装置を識別するために用いる装置識別子から有線ネットワークにおいて装置を識別するために用いる装置識別子を生成することを特徴とする装置識別子割当方法。
【請求項１０】
無線における装置識別子を複数のビット列に分割し、有線における装置識別子の一部として用いることを特徴とする請求項９記載の装置識別子割当方法。
【請求項１１】
無線における装置識別子を複数のビット列に分割し、分割したビット列の１と０を反転させたビット列を有線における装置識別子の一部として用いることを特徴とする請求項９記載の無線伝送方法。
【請求項１２】
上記無線インタフェースとして、ミリ波を用いることを特徴とする請求項９乃至請求項１１記載の装置識別子割当方法。
【請求項１３】
上記有線インタフェースとして、ＨＤＭＩを用いることを特徴とする請求項９乃至請求項１２記載の装置識別子割当方法。
【請求項１４】
上記生成される装置識別子は、ＨＤＭＩで用いられる物理アドレスであることを特徴とする請求項１３記載の装置識別子割当方法。
【請求項１５】
無線における装置識別子を半分のビット長の２つのビット列に分割し、各ビット列を物理アドレスの４ビットで構成される４つのフィールドのうちの１つもしくは複数のフィールドに含ませることを特徴とする請求項１４記載の装置識別子割当方法。
【請求項１６】
無線における装置識別子６ビットを３ビット長の２つのビット列に分割し、各ビット列を物理アドレスの４ビットで構成される４つのフィールドのうちの２つのフィールドの下位３ビットにセットし、２つのフィールドの最上位ビットは１とすることを特徴とする請求項１５記載の装置識別子割当方法。
【発明の詳細な説明】
【技術分野】
【０００１】
本発明は、複数の無線伝送装置間で映像及び音声データを伝送するシステムにおいて自動的に無線伝送装置の装置識別子設定処理を行うことを可能とした装置識別子設定方法及びそれを用いた無線伝送装置に関するものである。
【背景技術】
【０００２】
複数の伝送装置間で映像及び音声データを伝送するシステムとして、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格を採用したシステムが普及している（非特許文献１参照）。ＨＤＭＩ規格においては、各伝送装置がシステムのトポロジを認識するために物理アドレスが用いられる。ＨＤＭＩ規格における物理アドレスは、４ビット（１６進数表記では、０〜Ｆ）を１つのブロックとし、４つのブロックで構成される。すなわち、物理アドレスは、１６ビットで表され、「０．０．０．０」から「Ｆ．Ｆ．Ｆ．Ｆ」までの値をとる。例えば、トポロジのルートとなる装置には物理アドレスとして、「０．０．０．０」が割り当てられる。また、ルートの装置が複数のＨＤＭＩ入力端子を持つ場合、各ＨＤＭＩ端子に関連付けられ、ルートの装置がサポートする映像フォーマット情報などを記憶するＥＤＩＤ（Ｅｘｔｅｎｄｅｄ  Ｄｉｓｐｌａｙ  Ｉｄｅｎｔｉｆｉｃａｔｉｏｎ  Ｄａｔａ）と呼ばれる記憶領域に、そのＨＤＭＩ端子に接続された伝送装置に割り当てる物理アドレスが格納される。この物理アドレスは、ルートの装置の物理アドレスとＨＤＭＩ端子の番号から生成される。
【０００３】
図１３にＨＤＭＩ規格における物理アドレスの割り当て方法を示す。
【０００４】
図１３に示すように、トポロジのルートとなるＴＶには、物理アドレスとして０．０．０．０が割り当てられる。図１３に示すように、ＴＶは２つのＨＤＭＩ端子を持ち、それぞれ１番、２番と番号が割り当てられているとすると、番号が１番のＨＤＭＩ端子（端子１）に関連付けられたＥＤＩＤには「１．０．０．０」が格納され、端子１に接続された機器には、物理アドレス「１．０．０．０」が割り当てられる。また、番号が２番のＨＤＭＩ端子（端子２）に関連付けられたＥＤＩＤには「２．０．０．０」が格納され、端子２に接続された機器には、物理アドレス「２．０．０．０」が割り当てられる。
【０００５】
また、図１３に示すように、ＴＶのＨＤＭＩ端子１に接続された機器がＡＶアンプである場合、ＡＶアンプには物理アドレス「１．０．０．０」が割り当てられる。さらに、ＡＶアンプのＨＤＭＩ端子にＤＶＤなどが接続された場合、例えば、ＡＶアンプのＨＤＭＩ端子２にＤＶＤが接続された場合、ＨＤＭＩ端子２に関連付けられたＥＤＩＤには、物理アドレス「１．２．０．０」が格納される。すなわち、ＡＶアンプのＨＤＭＩ端子２に接続されたＤＶＤには物理アドレス「１．２．０．０」が割り当てられる。このようにＨＤＭＩにおいては、ＴＶをルートとしたツリー構造となっており、５階層まで階層的に物理アドレスが割り当てられる。
【０００６】
また、特許文献１には機器の入力切り換えを行うために、物理アドレスを用いて装置を識別する方法が記載されている。この方法では、ディスプレイ装置が自身に接続されている装置からその装置のベンダーＩＤ、機器アドレス、物理アドレスを取得し、メモリ部に記憶する。ディスプレイ装置は、リモコン装置からリモコンコードを受信したとき、メーカーコード及び機器コードを抽出し、それに対応するベンダーＩＤ及び機器アドレスをメモリ部から検索し、検索されたベンダーＩＤ及び機器アドレスに対応付けられている物理アドレスに接続されている装置に入力を切り替ええる。
【特許文献１】特開２００４−２０８２９０号公報（第２１頁、図１７）
【非特許文献１】High-Definition Multimedia Interface Specification, Version1.1, HDMI Licensing, LLC, California in U.S.A., May 20,2004
【発明の開示】
【発明が解決しようとする課題】
【０００７】
しかしながら、無線を用いたシステムにおいては、トポロジがツリー構造ではないため、同様の方法で物理アドレスを割り当てることができないという課題を有していた。例えば、システム内に、ＴＶが２台存在する場合、すなわち、トポロジのルートが２つある場合、それぞれのＴＶから、システム内の装置に割り当てられる物理アドレスが異なる可能性があるため、有線を用いたシステムと同様に、システム内で物理アドレスを唯一に割り当てることができない。そのため、物理アドレスを用いて入力切り換えを行うことができないという課題を有していた。
【０００８】
本発明は、前記従来の課題を解決するもので、無線を介するシステムにおいても物理アドレスを重複なく割り当てることを目的とする。
【課題を解決するための手段】
【０００９】
前記従来の課題を解決するために、第１の発明に係る無線伝送方法は、有線インタフェース及び無線インタフェースを具備する無線伝送装置の識別子生成方法において、無線ネットワーク内において装置を識別するために用いる装置識別子から有線ネットワーク内において装置を識別するために用いる装置識別子を生成することを特徴とする。
【００１０】
またさらに、無線における装置識別子を複数のビット列に分割し、有線における装置識別子の一部として用いることを特徴とする。
【００１１】
またさらに、無線における装置識別子を複数のビット列に分割し、分割したビット列の１と０を反転させたビット列を有線における装置識別子の一部として用いる。
【００１２】
またさらに、前記無線インタフェースとして、ミリ波を用いることを特徴とする。
【００１３】
またさらに、前記有線インタフェースとして、ＨＤＭＩを用いることを特徴とする。
【００１４】
またさらに、前記生成される識別子は、ＨＤＭＩで用いられる物理アドレスであることを特徴とする。
【００１５】
またさらに、無線における装置識別子を半分のビット長の２つのビット列に分割し、各ビット列を物理アドレスの４ビットで構成される４つのフィールドのうちの１つもしくは複数のフィールドに含ませることを特徴とする。
【００１６】
またさらに、無線における装置識別子６ビットを３ビット長の２つのビット列に分割し、各ビット列を物理アドレスの４ビットで構成される４つのフィールドのうちの２つのフィールドの下位３ビットにセットし、２つのフィールドの最上位ビットは１とすることを特徴とする請求項６記載の無線伝送装置。
【００１７】
本構成によって、システム内の装置間に有線と無線が混在する場合においても、物理アドレスを重複なく割り当てることができる。
【発明の効果】
【００１８】
本発明に係る無線伝送方法及び装置によれば、物理アドレスを各装置に重複なく割り当てることができ、物理アドレスを含むメッセージを受信したときに、装置の識別が可能となり、有線で接続されている時と同様に入力切り替え等の動作を行うことができ、ユーザの利便性の向上を図ることができる。
【発明を実施するための最良の形態】
【００１９】
以下、本発明に係る実施形態について図面を参照して説明する。
（実施の形態１）
図１は、本発明の実施の形態１における無線伝送システムのブロック図である。無線伝送システムは、無線伝送装置１００、１０１、１０２と、伝送装置１０３、１０４、１０５とを具備する。なお、本実施の形態においては、無線伝送装置３台と伝送装置３台の場合について説明するが、本発明は、無線伝送装置１００、１０１、１０２、伝送装置１０３、１０４、１０５と同様の構成を有する無線伝送装置及び伝送装置を複数備えている場合においても適用可能なものである。
【００２０】
無線伝送装置１００は、無線インタフェースを具備し、無線インタフェースから映像データ及び音声データを受信する無線伝送装置である。
【００２１】
無線伝送装置１０１及び無線伝送装置１０２は有線インタフェース及び無線インタフェースを具備し、有線インタフェースにおいて受信した映像データ及び音声データを無線インタフェースから送信する無線伝送装置であり、無線伝送装置１００に映像データ及び音声データを送信する。無線伝送装置１０１及び無線伝送装置１０２から無線伝送装置１００への映像及び音声データの伝送は、異なる無線周波数帯を用いて伝送される、もしくは異なる時間に伝送される。
【００２２】
伝送装置１０３、伝送装置１０４及び伝送装置１０５は有線インタフェースを具備し、有線インタフェースから映像データ及び音声データを送信する伝送装置であり、伝送装置１０３及び伝送装置１０４は無線伝送装置１０１と有線インタフェースを介して接続されており、伝送装置１０５は無線伝送装置１０２と有線インタフェースを介して接続されている。例えば、有線インタフェースとしては、ＨＤＭＩを用いる。
【００２３】
図２は、本発明の実施の形態１における無線伝送装置１０１及び無線伝送装置１０２の構成を示すブロック図である。
【００２４】
図２において、無線伝送手段２０１は電波の送受信及び変復調などの無線伝送処理を行う手段であり、アンテナ、高周波回路、ベースバンド処理回路などを含むが、どのような無線伝送方式を用いてもよく、本実施形態では説明を省略する。例えば、非圧縮映像のような高速データレートを要するデータを送信するためには、ミリ波帯の電波を用いた無線伝送方式を利用することが考えられる。また無線伝送手段２０１は無線伝送において、無線周波数帯域もしくは伝送時間を予約し、予約した無線周波数帯域もしくは時間内に映像音声データを送受信するアクセス制御も行う。
【００２５】
データ処理手段２０２は映像データや音声データの変換処理、上位レイヤ処理における処理を行い、有線装置識別子生成手段２０３は有線伝送手段を用いてデータ伝送を行うときに用いる有線装置識別子を生成する。データ処理手段２０２、有線装置識別子生成手段２０３はソフトウェアで実現されても、ハードウェア（専用回路）で実現されてもよい。ソフトウェアで実現される場合は、ＲＯＭ等の記録媒体に記録されている。
【００２６】
有線装置識別子記憶手段２０５は有線装置識別子生成手段２０５によって生成された有線装置識別子を記憶する。有線装置識別子記憶手段２０５は、不揮発性の記録媒体が好適であるが、揮発性の記録媒体でも実現可能である。
【００２７】
有線伝送手段２０４は映像信号、音声信号及び制御信号の符号化、復号化、多重化などの有線伝送処理を行う手段である。なお、有線伝送手段２０４としては、例えば、ＨＤＭＩが用いられる。
【００２８】
無線伝送装置１０１、１０２としては、有線伝送と無線伝送の相互変換を行う変換アダプタや、無線機能を持つアンプなどがある。
【００２９】
図３は、本発明の実施の形態１における無線伝送装置１００の構成を示すブロック図である。
【００３０】
無線伝送手段３０１は電波の送受信及び変復調などの無線伝送処理を行う手段であり、アンテナ、高周波回路、ベースバンド処理回路などを含むが、どのような無線伝送方式を用いてもよく、本実施形態では説明を省略する。例えば、非圧縮映像のような高速データレートを要するデータを送信するためには、ミリ波帯の電波を用いた無線伝送方式を利用することが考えられる。また、無線伝送手段３０１は無線伝送において、無線周波数帯域もしくは伝送時間を予約し、予約した無線周波数帯域もしくは時間内に映像音声データを送受信する媒体アクセス制御を行う。
【００３１】
データ処理手段３０２は映像データや音声データの変換処理、上位レイヤにおける処理を行う手段であり、映像表示手段３０３は映像を表示する手段、音声出力手段３０４は音声を出力する手段である。
【００３２】
無線伝送装置１００としては、無線機能を備えたＴＶやパーソナルコンピュータ等の、画像、音声が出力可能な装置である。なお、無線伝送装置１００は、映像表示手段、音声表示手段の片方のみを備えた装置でもよく、映像表示機能のみを持つモニター、プロジェクターや、音声出力機能のみを持つスピーカなどでもよい。
【００３３】
データ処理手段３０２、映像表示手段３０３、音声出力手段３０４は、ソフトウェアで実現されても、ハードウェア（専用回路）で実現されてもよい。ソフトウェアで実現される場合は、ＲＯＭ等の記録媒体に記録されている。
【００３４】
図４は、本発明の実施の形態１おける伝送装置１０３、伝送装置１０４、及び伝送装置１０５の構成を示すブロック図である。
【００３５】
有線伝送手段４０１は有線伝送処理を行う手段であり、データ処理手段４０２は映像データや音声データの変換処理、上位レイヤにおける処理を行う手段である。有線伝送手段４０１は、映像信号、音声信号及び制御信号の符号化、復号化、多重化などの処理を行う。例えば、有線伝送手段４０１としては、ＨＤＭＩが用いられる。
【００３６】
有線装置識別子記憶手段４０３は、自身に割り当てられた有線装置識別子を記憶する手段である。有線装置識別子記憶手段４０３は、不揮発性の記録媒体が好適であるが、揮発性の記録媒体でも実現可能である。
【００３７】
映像音声再生手段４０４は映像データ及び音声データを出力する手段である。なお、映像音声再生手段４０４は、映像のみ、音声のみを再生する手段であっても構わない。
【００３８】
データ処理手段４０２、映像音声再生手段４０４は、ソフトウェアで実現されても、ハードウェア（専用回路）で実現されてもよい。ソフトウェアで実現される場合は、ＲＯＭ等の記録媒体に記録されている。
【００３９】
伝送装置１０３、伝送装置１０４、伝送装置１０５は、ＤＶＤ、ＳＴＢ、ビデオプレーヤ等の画像、音声が出力可能な装置であり、音声のみを再生するＣＤプレーヤ、ＭＤプレーヤ、ＭＰ３（ＭＰＥＧ１  Ｌａｙｅｒ−３  Ａｕｄｉｏ）プレーヤ等でもよい。
【００４０】
以下、本発明に係る実施の形態１における動作について、図５から図９を用いて説明する。
【００４１】
図５は、本発明に係る無線伝送装置１０１及び無線伝送装置１０２の無線伝送手段２０１の無線装置識別子取得シーケンスの一例を示すチャート図である。
【００４２】
図５に示すように、無線伝送装置１０１は、無線ネットワークに加入するとき、管理装置（図示せず）に対して、認証要求メッセージを無線伝送手段２０１を介して送信する（ステップＳ５０１）。管理装置は、無線ネットワーク全体の無線伝送装置の加入、離脱を管理する装置である。管理装置は、認証要求メッセージを受信したとき、無線ネットワークで用いる無線装置識別子を含む認証応答メッセージを認証要求メッセージの送信元の無線伝送装置１０１に送信する（Ｓ５０２）。ここで、管理装置は無線装置識別子の使用状況を管理しており、無線装置識別子が無線ネットワーク内で唯一の値をとるように各無線伝送装置に割り当てる。
【００４３】
無線伝送装置１０１は管理装置から無線伝送手段２０１を介して認証応答メッセージを受信したとき、認証応答メッセージに含まれる無線装置識別子を自身の無線装置識別子として用いる。無線伝送装置１０１は、無線装置識別子を無線伝送手段内の記憶手段（図示せず）に記憶する。無線伝送装置１００も同様にして無線装置識別子を取得する。無線伝送装置１００、１０１、１０２はシステム内に存在する全ての無線伝送装置の無線装置識別子を例えば、リスト形式で記憶している（図示せず）。
【００４４】
図６は、本発明に係る無線伝送装置１０１の有線装置識別子生成手段２０３における有線装置識別子生成手順の一例を示すフローチャートである。
【００４５】
有線装置識別子生成手段２０３は無線伝送手段２０１、データ処理手段２０２を介して取得したデータより無線装置識別子取得通知を検出したとき（ステップＳ６０１）、無線装置識別子取得通知に含まれる無線装置識別子から有線装置識別子を生成する（ステップＳ６０２）。ここでは、一例として、無線装置識別子を６ビット（１０進数では０〜３１の値をとる）の値とし、有線装置識別子をＨＤＭＩで用いられる物理アドレスとした場合について、図７、図８を用いて説明する。なお、２進数の表記には、先頭に“０ｂ”を付加する。
【００４６】
図７は、有線装置識別子の生成手順を示したフローチャート、図８は、有線装置識別子生成の一例を示した図、である。
【００４７】
まず、有線装置識別子生成手段２０３は無線装置識別子６ビットを３ビットずつの２つのグループに分割する（ステップＳ７０１）。例えば、無線装置識別子が１０である場合、図８の（ａ）に示すように、１０を２進数６ビットで表すと、０ｂ００１０１０となり、これを、３ビットずつ２つのグループに分割すると、１グループ目は０ｂ００１となり、２グループ目は０ｂ０１０となる。
【００４８】
ＨＤＭＩの物理アドレスは、４ビットずつの４グループ（Ａ．Ｂ．Ｃ．Ｄ）に分かれており、Ａ〜Ｄはそれぞれ、１０進数では、０から１５の値をとる。図８の（ｂ）、（ｃ）に示すように、まず、最初の４ビット（Ａ）を、最上位ビットの先頭を０にしないために、０ｂ１に無線装置識別子を２つのグループに分割して得られた１グループ目の値０ｂ００１を連結した０ｂ１００１（１６進数では、９である）とし（ステップＳ７０２）、次の４ビット（Ｂ）を、０ｂ１に無線装置識別子を２つのグループに分割して得られた２グループ目の値０ｂ０１０を連結した０ｂ１０１０（１６進数では、Ａである）とする（ステップＳ７０３）。すなわち、物理アドレス「９．Ａ．０．０（１６進表記）」が生成される。このように有線装置識別子生成手段２０３は物理アドレスを生成した後、生成した物理アドレス９．Ａ．０．０を有線装置識別子記憶手段２０５に記憶させる（ステップＳ６０３）。さらに、無線伝送装置１０１は、自身に割り当てられた物理アドレスが「９．Ａ．０．０」であること通知するメッセージを、無線伝送手段２０１を介してブロードキャスト送信する。
【００４９】
次に、有線装置識別子記憶手段２０５に記憶された物理アドレスからＥＤＩＤの物理アドレス格納領域に格納される値が決定される。生成した物理アドレスと有線ポート番号を結合した値をＥＤＩＤの物理アドレス格納領域に書き込む。例えば、有線ポート番号を１とすると、ＥＤＩＤの物理アドレス格納領域に「９．Ａ．１．０」を書き込む。その後、有線装置識別子生成手段２０３は、有線伝送手段２０４にＨＰＤ（ホット・プラグ・ディテクト）信号を出力するように指示する（ステップＳ６０４）。また、有線伝送手段２０４は有線装置識別子記憶手段２０５に格納された物理アドレス「９．Ａ．１．０」を伝送装置１０３に通知する。伝送装置１０３は有線伝送手段４０１、データ処理手段４０２を介して取得した物理アドレス「９．Ａ．１．０」を有線装置識別子記憶手段４０３に記憶する。
【００５０】
同様に、有線ポート番号を２とすると、ＥＤＩＤの物理アドレス格納領域に「９．Ａ．２．０（１６進数表記）」を書き込む。その後、有線装置識別子生成手段２０３は、有線伝送手段２０４にＨＰＤ（ホット・プラグ・ディテクト）信号を出力するように指示する（ステップＳ６０４）。また、有線伝送手段２０４は有線装置識別子記憶手段２０５に格納された物理アドレス「９．Ａ．１．０」を伝送装置１０４に通知する。伝送装置１０４は有線伝送手段４０１、データ処理手段４０２を介して取得した物理アドレス「９．Ａ．１．０」を有線装置識別子記憶手段４０３に記憶する。
【００５１】
これにより、有線ポート１に接続された伝送装置１０３に物理アドレス「９．Ａ．１．０」が割り当てられ、有線ポート２に接続された伝送装置１０４に物理アドレス「９．Ａ．２．０」が割り当てられる。
【００５２】
図９に無線伝送装置１０１の有線装置識別子記憶手段２０５に記憶された有線装置識別子の一例を示す。図９に示すように、有線装置識別子はポート番号と対応して、記憶される。
【００５３】
同様に、無線伝送装置１０２の無線装置識別子を１１とした場合、２進数６ビットで表すと、０ｂ００１０１１となる。ここで、３ビットずつ２つのグループに分割すると、１グループ目は０ｂ００１となり、２グループ目は０ｂ０１１となる。ここで、最初の４ビット（Ａ）を、０ｂ１に無線装置識別子を分割して得られた１グループ目の値０ｂ００１を連結した０ｂ１００１（１６進数では、９である）とし、次の４ビット（Ｂ）を、０ｂ１に無線装置識別子を分割して得られた２グループ目の値０ｂ０１１を連結した０ｂ１０１１（１６進数では、Ｂである）とする。すなわち、物理アドレス「９．Ｂ．０．０（１６進表記）」が生成される。このように有線装置識別子生成手段２０３は物理アドレスを生成した後、生成した物理アドレスを有線装置識別子記憶手段２０５に記憶させる。さらに、無線伝送装置１０１は、自身に割り当てられた物理アドレスが「９．Ｂ．０．０」であること通知するメッセージを、無線伝送手段２０１を介してブロードキャスト送信する。
【００５４】
次に、有線装置識別子記憶手段２０５に記憶された物理アドレスからＥＤＩＤの物理アドレス格納領域に格納される値が決定される。生成した物理アドレスと有線ポート番号を結合した値をＥＤＩＤの物理アドレス格納領域に書き込む。例えば、有線ポート番号を１とすると、ＥＤＩＤの物理アドレス格納領域に「９．Ｂ．１．０（１６進数表記）」を書き込む。その後、有線装置識別子生成手段２０３は、有線伝送手段２０４にＨＰＤ信号を出力するように指示する。また、有線伝送手段２０４は有線装置識別子記憶手段２０５に格納された物理アドレス「９．Ｂ．１．０」を伝送装置１０５に通知する。伝送装置１０５は有線伝送手段４０１、データ処理手段４０２を介して取得した物理アドレス「９．Ｂ．１．０」を有線装置識別子記憶手段４０３に記憶する。これにより、有線ポート１に接続された伝送装置１０５に物理アドレス「９．Ｂ．１．０」が割り当てられる。
【００５５】
同様に、無線伝送装置１００の無線装置識別子を０とすると、物理アドレス「８．８．０．０」が割り当てられ、自身に割り当てられた物理アドレスが「８．８．０．０」であることを通知するメッセージを、無線伝送手段３０１を介してブロードキャストする。無線伝送装置１００、無線伝送装置１０１、無線伝送装置１０２は、図１０に示すように、各無線伝送装置と自身の無線伝送装置に割り当てられた無線装置識別子と物理アドレスを対応づけて記憶する。
【００５６】
図１１に本実施の形態１における物理アドレス割当結果を示す。
【００５７】
図１１に示すように、無線伝送装置１０１には、無線装置識別子「１０」と有線装置識別子「９．Ａ．０．０」、無線伝送装置１０２には、無線装置識別子「１１」と有線装置識別子「９．Ｂ．０．０」が割り当てられる。また、伝送装置１０３には有線装置識別子「９．Ａ．１．０」、伝送装置１０４には有線装置識別子「９．Ａ．２．０」、伝送装置１０５には有線装置識別子「９．Ｂ．１．０」が割り当てられる。
【００５８】
各伝送装置から物理アドレスを含むメッセージが送信されたときの処理について述べる。無線伝送装置１０１は、有線伝送手段２０４において伝送装置から送信されたメッセージを取得する。有線伝送手段２０４は、有線装置識別子記憶手段２０５に記憶している、尾ポート番号と有線装置識別子の対応表より、受信したメッセージに物理アドレス「９．Ａ．１．０」が含まれている場合はポート１に接続されている伝送装置１０３に、物理アドレス「９．Ａ．２．０」が含まれている場合には、ポート２に接続されている伝送装置１０４に入力切り替えを行う。
【００５９】
また、無線伝送装置１００は、無線伝送手段３０１において伝送装置から送信されたメッセージを取得する。無線伝送手段３０１は受信したメッセージに物理アドレス「９．Ａ．１．０」もしくは、「９．Ａ．２．０」が含まれている場合には、図１０の対応表より、どちらの場合も物理アドレスの前半が「９．Ａ」であることから、無線伝送装置１０１から送信されたメッセージであることを判定し、無線伝送装置１０１に入力切り替えを行う。入力切り替えは、切り替え前に無線伝送装置１０２に設定していた場合、無線伝送装置１０２にデータの送信停止メッセージを送信し、無線伝送装置１０１にデータの送信開始メッセージを送信すると共に、受信するデータの送信元デバイスを無線伝送装置１０１に変更する。
【００６０】
同様に、物理アドレス「９．Ｂ．１．０」が含まれている場合は、図１０の対応表より、物理アドレスの前半が「９．Ｂ」であることから、無線伝送装置１０２から送信されたメッセージであることを判定し、無線伝送装置１０２に入力切り替えを行う。無線伝送装置１０１に接続されていた場合には、無線伝送装置１０１にデータの送信停止メッセージを送信し、無線伝送装置１０２にデータの送信開始メッセージを送信すると共に、受信するデータの送信元デバイスを無線伝送装置１０２に変更する。
【００６１】
以上の動作より、無線伝送装置１００は、各無線伝送装置に接続された伝送装置からのデータを、装置を混同することなく、受信することが可能となる。
【００６２】
このように、本発明の実施の形態によれば、無線伝送装置と有線伝送装置が混在した無線伝送システムにおいて、各無線伝送装置、各有線伝送装置に唯一の有線装置識別子を割り当てることができる。
【００６３】
（実施の形態２）
本発明の実施の形態２は、本発明の実施の形態１とは、ステップＳ６０２において、無線装置識別子から有線装置識別子を生成する方法のみが異なるので、その部分のみを図１２を用いて説明する。それ以外の動作は、本発明の実施の形態１と同様である。
【００６４】
ここでは、一例として、無線装置識別子を６ビット（１０進数では０〜３１の値をとる）の値とし、有線装置識別子をＨＤＭＩで用いられる物理アドレスとした場合について説明する。ここで、２進数の表記には、先頭に“０ｂ”を付加する。
【００６５】
まず、図１２の（ａ）に示すように、有線装置識別子生成手段２０３は、無線装置識別子６ビットを３ビットずつの２つのグループに分割する。例えば、無線装置識別子が１０とした場合、２進数６ビットで表すと、０ｂ００１０１０となる。ここで、３ビットずつ２つのグループに分割すると、１グループ目は０ｂ００１となり、２グループ目は０ｂ０１０となる。
【００６６】
ＨＤＭＩの物理アドレスは、４ビットずつの４グループ（Ａ．Ｂ．Ｃ．Ｄ）に分かれている。Ａ〜Ｄはそれぞれ４ビットであり、１０進数では、０から１５の値をとる。図１０の（ｂ）、（ｃ）に示すように、本実施の形態においては、最初の４ビット（Ａ）を、０ｂ１に無線装置識別子を２つのグループに分割して得られた１グループ目の値０ｂ００１の１と０を反転した０ｂ１１０を連結した０ｂ１１１０（１６進数では、Ｅである）とし、次の４ビット（Ｂ）を、０ｂ１に無線装置識別子を２つのグループに分割して得られた２グループ目の値０ｂ０１０の１と０を反転した０ｂ１０１を連結した０ｂ１１０１（１６進数では、Ｄである）とする。すなわち、物理アドレス「Ｅ．Ｄ．０．０（１６進数表記）」が生成される。このように有線装置識別子生成手段２０４は物理アドレスを生成した後、生成した物理アドレスＥ．Ｄ．０．０を有線装置識別子記憶手段２０５に記憶する。
【００６７】
有線装置識別子記憶手段２０５に記憶された物理アドレスからＥＤＩＤの物理アドレス格納領域に格納される値が決定される。生成した物理アドレスと有線ポート番号を結合した値をＥＤＩＤの物理アドレス格納領域に書き込む。例えば、有線ポート番号を１とすると、ＥＤＩＤの物理アドレス格納領域に「Ｅ．Ｄ．１．０（１６進数表記）」を書き込む。
【００６８】
その後、有線装置識別子生成手段２０３は、有線伝送手段２０６にＨＰＤ（ホット・プラグ・ディテクト）信号を出力するように指示する。同様に、有線ポート番号を２とすると、ＥＤＩＤの物理アドレス格納領域にＥ．Ｄ．２．０（１６進数表記）を書き込む。
【００６９】
なお、本発明においては、無線装置識別子は６ビットであるとしたが、６ビット以外の場合においても、同様に複数のグループに分割し、有線識別子に割り当てることで、有線識別子が重複して割り当てられることを防止することが可能である。
【００７０】
また、分割するグループ数は２に限定したものではない。
【００７１】
また、本発明においては、４ビットで構成される４つのフィールドのうちの２つのフィールドに無線装置識別子を含ませたが、１つ、もしくは３つ以上のフィールドに含ませてもよい。
【００７２】
また、本発明においては、４ビットで構成される４つのフィールドのうちの２つのフィールドの下位３ビットに、無線装置識別子を含ませたが、これに限定するものではない。
【００７３】
また、無線装置識別子をグループ分けする方法は、本実施の形態の方法に限定するものではない。
【００７４】
また、本発明においては、無線伝送装置１０１には２台、無線伝送装置１０２には１台の伝送装置が接続されているが、２台以上の伝送装置が接続されていても、同様の方法で有線装置識別子を生成できる。
【００７５】
なお、本発明においては、有線装置識別子として、１フィールドが４ビットで、４つのフィールドで構成されるＨＤＭＩの物理アドレスを用いたが、これに限定するものではない。
【産業上の利用可能性】
【００７６】
本発明に係る識別子識別子設定方法及びそれを用いた無線伝送装置は、装置の識別子を唯一に割り当てることを可能とし、入力切り替えを自動的に行うことを可能とする効果を有し、装置間で映像及び音声伝送を行う無線伝送装置等として有用である。
【図面の簡単な説明】
【００７７】
【図１】本発明における無線伝送システムの構成を示す図
【図２】本発明における無線伝送装置１０１の構成を示すブロック図
【図３】本発明における無線伝送装置１００の構成を示すブロック図
【図４】本発明における伝送装置の構成を示すブロック図
【図５】本発明における無線装置識別子取得シーケンスの一例を示すチャート図
【図６】本発明の有線装置識別子生成手手段の処理を示すフローチャート
【図７】本発明の有線装置識別子の生成手順を示すフローチャート
【図８】本発明の実施の形態１における有線装置識別子生成処理の一例を示す図
【図９】同有線装置識別子記憶手段の一例を示す図
【図１０】同無線伝送装置が記憶する物理アドレス割り当ての一例を示す図
【図１１】本発明の無線伝送システムにおける物理アドレス割り当ての一例を示す図
【図１２】本発明の実施の形態２における有線装置識別子生成処理の一例を示す図
【図１３】従来の物理アドレス方法を示した図
【符号の説明】
【００７８】
１００、１０１、１０２  無線伝送装置
１０３、１０４、１０５  伝送装置
２０１、３０１  無線伝送手段
２０２、３０２、４０２  データ処理手段
２０３  有線装置識別子生成手段
２０４、４０１  有線伝送手段
２０５、４０３  有線装置識別子記憶手段
３０３  映像表示手段
３０４  音声出力手段
４０４  映像音声再生手段
【図１】
2008153826.tif 000003
【図２】
2008153826.tif 000004
【図３】
2008153826.tif 000005
【図４】
2008153826.tif 000006
【図５】
2008153826.tif 000007
【図６】
2008153826.tif 000008
【図７】
2008153826.tif 000009
【図８】
2008153826.tif 000010
【図９】
2008153826.tif 000011
【図１０】
2008153826.tif 000012
【図１１】
2008153826.tif 000013
【図１２】
2008153826.tif 000014
【図１３】
2008153826.tif 000015